(57)【要約】      （修正有）【課題】蓋体を開閉しやすく、装飾物を陳列できる、棺桶の開閉構造を提供する。【解決手段】本棺桶の開閉構造は、前記棺桶が主に棺桶本体１と、２つの蓋体部２０から構成される蓋体から構成され、前記蓋体部の２つの短辺に設けた短板上に位置決め部が設けられ、棺桶本体上の短辺側面板に溝部１４０が形成され、短板上の位置決め部を溝部内に結合させ、溝部が定義する範囲で移動させることができ、蓋体部を開閉するとき、溝部と位置決め部の組み合わせにより回動を生じて開閉を行うことができ、さらに開いたときに溝部の位置決め部に対する範囲の限定によって棺桶本体と蓋体部に一定の間隔を生じさせ、この間隔を利用して鮮花／鉢植え／蓮の花などを配置し、装飾に用いることができ、上述の構造により、蓋体の開閉時の利便性を向上できるだけでなく、蓋体と棺桶本体の組み合わせに異なる用途を生み出すことができる。【選択図】図５
0003161102.tif 000002
【実用新案登録請求の範囲】
【請求項１】
棺桶の開閉構造であって、前記棺桶が主に底板の２つの長辺にそれぞれ長辺側面板が設置され、且つ２つ短辺に前記長辺側面板の一端と相互に当接された短辺側面板がそれぞれ設置された棺桶本体と、蓋体から構成され、前記蓋体が板体の２つの短辺に前記短辺側面板の外側と相互に重ね合わされる短板がそれぞれ設けられた２つの蓋体部から構成され、且つ各前記短辺側面板の相対する位置にそれぞれ溝部が形成され、各前記短板に位置決め部が設けられ、前記位置決め部を前記溝部内に結合し、且つ前記溝部が定義する範囲に沿って移動させることができることを特徴とする、棺桶の開閉構造。
【請求項２】
前記溝部の一端に前記位置決め部を回動させるために用いる回動部を設けたことを特徴とする、請求項１に記載の棺桶の開閉構造。
【請求項３】
前記溝部がＬ字形の態様であることを特徴とする、請求項１に記載の棺桶の開閉構造。
【請求項４】
前記板体の長辺に各前記短板と相互に当接され、且つ前記蓋体部が閉じ合わされたとき前記棺桶本体と密封状態を形成する長板を設けたことを特徴とする、請求項１に記載の棺桶の開閉構造。
【考案の詳細な説明】
【技術分野】
【０００１】
本考案は棺桶に関し、特に、蓋体を便利に開くことができ、且つ装飾物の陳列効果を備えた、棺桶の開閉構造に関する。
【背景技術】
【０００２】
棺桶は亡くなった人の最期の旅を送るための用具であるため、棺桶は遺体を安置するだけでなく、異なる宗教の信仰や各国の習慣に合わせて異なる陳列方式や外観様式が採用され、現代人の葬儀に対する観念が開放的になり、素朴な簡潔さを要求するようになるのに伴い、棺桶の選択及び実用性の面でこれまでのような盛大さと豪華さとは違うものが求められるようになっている。また、現在販売されている棺桶はみな棺桶本体と蓋体が分離した方式を主な組み合わせ方式としており、棺桶そのものの材質は木材を材料としているため、全体の重量が非常に重く、蓋を被せたり、弔問を受けるときに蓋体を運んで移動させたりする必要がある際、材質の関係で大きな力を用いなければ蓋体を移動させることができず、このことから分かるように現行の棺桶は全体の構造上利便性を達することができない。また、棺桶そのものを家族の宗教信仰や各国の習慣に合わせて異なる陳列方式にすることもできない。
【０００３】
このため、いかに上述の従来品の問題と欠点を解決するかが本考案の考案者と関連産業に従事する企業が改善を研究する方向性である。
【考案の概要】
【考案が解決しようとする課題】
【０００４】
本考案の考案者は上述の欠点に鑑み、関連資料を収集し、多方面の評価と検討を経て、かつ関連産業に従事した長年の経験に基づき、試作と修正を重ね、ついにこの蓋体を開きやすく、且つ装飾物の陳列効果を備えた棺桶の開閉構造の実用新案の開発に至ったものである。
【０００５】
本考案の主な目的は、蓋体の開閉がしやすく、装飾物の陳列効果を備えた、棺桶の開閉構造を提供することにある。
【０００６】
本考案の別の目的は、蓋体を運んで移動させる必要なく、蓋体を開閉することができる、棺桶の開閉構造を提供することにある。
【０００７】
本考案のさらに別の目的は、構造が簡単で組み立てが容易な棺桶の開閉構造を提供することにある。
【課題を解決するための手段】
【０００８】
本考案の棺桶は主に棺桶本体と蓋体から構成され、前記蓋体が２つの蓋体部から構成され、そのうち、前記蓋体部の２つの短辺に設置された短板上に位置決め部が設けられ、棺桶本体上の短辺側面板に溝部が形成され、短板上の位置決め部を溝部内に結合させ、溝部が定義する範囲で移動させることができ、蓋体部を開閉するとき、溝部と位置決め部の組み合わせにより回動を生じて開閉を行うことができ、さらに開いたときに溝部の位置決め部に対する範囲の限定によって棺桶本体と蓋体部に一定の間隔を生じさせ、この間隔を利用して鮮花/鉢植え/蓮の花などを配置し、装飾に用いることができる。上述の構造により、蓋体の開閉時の利便性を向上できるだけでなく、蓋体と棺桶本体の組み合わせに異なる用途を生み出すことができる。
【図面の簡単な説明】
【０００９】
【図１】本考案の最良の実施例の立体斜視図である。
【図２】本考案の最良の実施例の立体分解図である。
【図３】本考案の蓋体部を開く動作を示す断面図である。
【図４】本考案の陳列時の使用状態を示す立体外観図である。
【図５】本考案の蓋体部を閉じる動作を示す立体図である。
【考案を実施するための形態】
【００１０】
上述の目的と効果を達するため、本考案が採用する技術手段と構造について、以下図面と本考案の最良の実施例を参照し、その特徴と機能を詳細に説明する。
【００１１】
図１と図２に本考案の最良の実施例の立体斜視図と立体分解図をそれぞれ示す。これらの図からはっきりと分かるように、本考案の棺桶の開閉構造は、前記棺桶が主に棺桶本体１と蓋体２から構成され、そのうち、前記棺桶本体１が底板１０、長辺側面板１２、短辺側面板１４を組み立てて構成され、前記底板１０の２つの長辺にそれぞれ前記長辺側面板１２が設置され、且つ２つの短辺に前記長辺側面板１２の一端と相互に当接された前記短辺側面板１４が設置される。前記蓋体２は２つの蓋体部２０から構成され、前記蓋体部２０は板体２０２と２つの短辺に設置された短板２０４から構成され、且つ前記短板２０４上に位置決め部２０６がそれぞれ設けられ、前記短辺側面板１４の相対する位置に溝部１４０がそれぞれ形成される。これにより、短板２０４上の位置決め部２０６を溝部１４０内に結合させ、溝部１４０の定義する範囲（溝部はＬ字形の態様を呈する）に沿って移動させることができる。また、溝部１４０の一端に位置決め部２０６を回動させるために用いる回動部１４０２が設けられ、蓋体部２０を開くとき、または閉じるときに、溝部１４０と位置決め部２０６の組み合わせによって回動を生じて開閉を行うことができ、さらに、溝部１４０の位置決め部２０６に対する範囲の限定によって棺桶本体１と蓋体部２０に一定の間隔を生じさせ、この間隔を利用して鮮花/鉢植え/蓮の花などを配置し、装飾に用いることができる。上述の板体２０２の長辺には各短板２０２と相互に当接され、且つ棺桶本体１と蓋体２を閉じ合わせたとき密封状態を成す長板２０８が設置される。
【００１２】
上述の構造、組み立て設計に基づき、本考案の使用作動状況について以下で説明する。同時に図３と図４に本考案の蓋体部を開く動作を示す断面図と本考案の陳列時の使用状態を示す立体外観図をそれぞれ示す。これらの図からはっきりと分かるように、蓋体を開くときは、まず２つの蓋体部２０をそれぞれ反対の方向に向かって施力すると、このとき位置決め部２０６が溝部１４０に沿って底部まで移動し、続いて各蓋体部２０をそれぞれ回動させると、このとき位置決め部２０６が溝部１４０上に定義された回動部１４０２で回動し、開いた後の蓋体部２０をさらに内側に向かって押すと、蓋体部２０と棺桶本体１が完全な開放状態となる。これにより、各蓋体部２０が開いた使用状態を成し、棺桶本体１内の遺体（図示しない）が現れる。開いた後は位置決め部２０６の溝部１４０内の摺動により、同時に板体２０２上に設置された長板２０８が棺桶本体１に当たることにより、棺桶本体１と蓋体部２０間に一定の間隔３が生まれ、この間隔３を利用して鮮花などを配置し、装飾に用いることで、全体の雰囲気をより美しくすることができる。
【００１３】
図５に本考案の蓋体部を閉じる動作を示す立体図を示す。同時に図４も参照する。これらの図からはっきりと分かるように、蓋体２を閉じるときは、各蓋体部２０をそれぞれ外側に向かって引くと、このとき位置決め部２０６が溝部１４０に沿って摺動し、位置決め部２０６が溝部１４０他端まで移動したときに、蓋体部２０を上に向かって回動させると、位置決め部２０６が再度回動部１４０２で回動し、さらに蓋体部２０を上に向かって持ち上げ、蓋体部２０上の長板２０８と棺桶本体１の長辺側面板１２を相互に当接させると、棺桶本体１と蓋体２が密封された状態を形成し、このとき棺桶本体１内の遺体は完全に棺桶内に遮蔽された状態となる。この棺桶の構造により蓋体２を運んで移動させなくても蓋体２を開閉するという目的を達することができ、同時に上述の構造により蓋体２の開閉時の利便性を高めると共に、蓋体２と棺桶本体１の組み合わせを利用して異なる用途を生み出すことができる。
【００１４】
以上の説明は本考案の最良の実施例に基づいた説明であり、本考案の権利範囲を限定せず、本考案の明細書及び図面の内容を運用した簡易な修飾及び同等効果の変化はすべて本考案の権利範囲内に含まれる。
【００１５】
上述をまとめると、本考案の棺桶の開閉構造は使用時に確実にその効果と目的を達することができるため、本考案は実用性に優れた創作であり、実用新案登録の出願要件を満たしているため、法に基づきここに出願を提出するものである。
【符号の説明】
【００１６】
１        棺桶本体
１０      底板
１２      長辺側面板
１４      短辺側面板
１４０    溝部
１４０２  回動部
２        蓋体
２０      蓋体部
２０２    板体
２０４    短板
２０６    位置決め部
２０８    長板
３        間隔
【図１】
0003161102.tif 000003
【図２】
0003161102.tif 000004
【図３】
0003161102.tif 000005
【図４】
0003161102.tif 000006
【図５】
0003161102.tif 000007